(57)【特許請求の範囲】
【請求項１】
移動局と、ＭＭＥ（Ｍｏｂｉｌｉｔｙ  Ｍａｎａｇｅｍｅｎｔ  Ｅｎｔｉｔｙ）と、前記移動局の位置管理が可能な複数の位置登録装置とを含む移動体通信システムであって、
前記ＭＭＥは、前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択することを特徴とする移動体通信システム。
【請求項２】
移動局と、該移動局の位置管理が可能な複数の位置登録装置とを含む移動体通信システムに用いられるＭＭＥ（Ｍｏｂｉｌｉｔｙ  Ｍａｎａｇｅｍｅｎｔ  Ｅｎｔｉｔｙ）であって、
前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択する選択手段を有することを特徴とするＭＭＥ。
【請求項３】
ＭＭＥ（Ｍｏｂｉｌｉｔｙ  Ｍａｎａｇｅｍｅｎｔ  Ｅｎｔｉｔｙ）と、移動局の位置管理が可能な複数の位置登録装置とを含む移動体通信システムに用いられる移動局であって、
前記移動局は、前記ＭＭＥにＮＲＩ（Ｎｅｔｗｏｒｋ  Ｒｅｓｏｕｒｃｅ  Ｉｄｅｎｔｉｆｉｅｒ）を含むＡｔｔａｃｈ  Ｒｅｑｕｅｓｔを送る送信手段を備えており、
前記移動局から提供された前記ＮＲＩに基づいて前記複数の位置登録装置の中から特定の位置登録装置を前記ＭＭＥに選択させることを特徴とする移動局。
【請求項４】
移動局と、ＭＭＥ（Ｍｏｂｉｌｉｔｙ  Ｍａｎａｇｅｍｅｎｔ  Ｅｎｔｉｔｙ）と、前記移動局の位置管理が可能な複数の位置登録装置とを含む移動体通信システムの通信方法であって、
前記ＭＭＥは、前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択することを特徴とする移動体通信システムの通信方法。
【請求項５】
移動局と、該移動局の位置管理が可能な複数の位置登録装置とを含む移動体通信システムに用いられるＭＭＥ（Ｍｏｂｉｌｉｔｙ  Ｍａｎａｇｅｍｅｎｔ  Ｅｎｔｉｔｙ）の制御方法であって、
前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択することを特徴とするＭＭＥの制御方法。
【請求項６】
ＭＭＥ（Ｍｏｂｉｌｉｔｙ  Ｍａｎａｇｅｍｅｎｔ  Ｅｎｔｉｔｙ）と、移動局の位置管理が可能な複数の位置登録装置とを含む移動体通信システムに用いられる移動局の通信方法であって、
前記移動局は、前記ＭＭＥにＮＲＩ（Ｎｅｔｗｏｒｋ  Ｒｅｓｏｕｒｃｅ  Ｉｄｅｎｔｉｆｉｅｒ）を含むＡｔｔａｃｈ  Ｒｅｑｕｅｓｔを送り、
前記移動局から提供された前記ＮＲＩに基づいて前記複数の位置登録装置の中から特定の位置登録装置を前記ＭＭＥに選択させることを特徴とする移動局の通信方法。
【請求項７】
前記位置登録装置は、ＭＳＣ／ＶＬＲ（Ｍｏｂｉｌｅ  Ｓｗｉｔｃｈｉｎｇ  Ｃｅｎｔｒｅ／Ｖｉｓｉｔｅｄ  Ｌｏｃａｔｉｏｎ  Ｒｅｇｉｓｔｅｒ）であることを特徴とする請求項１記載の移動体通信システム。
【請求項８】
前記位置登録装置は、ＭＳＣ／ＶＬＲ（Ｍｏｂｉｌｅ  Ｓｗｉｔｃｈｉｎｇ  Ｃｅｎｔｒｅ／Ｖｉｓｉｔｅｄ  Ｌｏｃａｔｉｏｎ  Ｒｅｇｉｓｔｅｒ）であることを特徴とする請求項４記載の通信方法。
【発明の詳細な説明】
【技術分野】
【０００１】
本発明は、移動体通信システム、移動局、交換局および移動局の位置登録方法に関し、特に、回線交換ネットワーク側で移動局の位置管理を行う位置登録装置が複数配置されている移動体通信システム、移動局、交換局および移動局の位置登録方法に関する。
【背景技術】
【０００２】
非特許文献１に、ＬＴＥ（Ｌｏｎｇ  Ｔｅｒｍ  Ｅｖｏｌｕｔｉｏｎ）と３Ｇ回線交換サービスの連携を実現するＣＳ（Ｃｉｒｃｕｉｔ  Ｓｗｉｔｃｈｅｄ）  ｆａｌｌｂａｃｋという機能の仕様が開示されている。また、同文献の１１頁「４．３．２  ＭＭＥ」の項には、複数のＭＳＣ／ＶＬＲ（Ｍｏｂｉｌｅ  Ｓｗｉｔｃｈｉｎｇ  Ｃｅｎｔｒｅ／Ｖｉｓｉｔｅｄ  Ｌｏｃａｔｉｏｎ  Ｒｅｇｉｓｔｅｒ）が同一のＬｏｃａｔｉｏｎ  Ａｒｅａ  ＩｄｅｎｔｉｔｙでサービスするＭＳＣ／ＶＬＲプールが構成されている場合、ＭＭＥ（Ｍｏｂｉｌｉｔｙ  Ｍａｎａｇｅｍｅｎｔ  Ｅｎｔｉｔｙ）が非特許文献２のＩＭＳＩ  Ｈａｓｈ方式という方式で、ＭＳＣ／ＶＬＲを選択すべきことが記載されている。なお、ＩＭＳＩ  Ｈａｓｈ方式とは、ネットワーク内で加入者を一意に特定する識別子であるＩＭＳＩ（Ｉｎｔｅｒｎａｔｉｏｎａｌ  Ｍｏｂｉｌｅ−Ｓｔａｔｉｏｉｎ  Ｓｕｂｓｃｒｉｐｔｉｏｎ  Ｉｄｅｎｔｉｆｉｅｒ）と、ネットワーク内のＭＳＣ／ＶＬＲ数の２つをキーに、モジュロ演算によりハッシュを求める方式である。
【０００３】
また、特許文献１には、ＳＧＳＮ（Ｓｅｒｖｉｎｇ  ＧＰＲＳ  Ｓｕｐｐｏｒｔ  Ｎｏｄｅ）などによって構成されているプールに、ＵＥ（Ｕｓｅｒ  Ｅｑｕｉｐｍｅｎｔ）が、最初にアクセスするときに、ｅ−ＮｏｄｅＢなどのＲＡＮノードが、ＮＮＳＦ（Ｎｏｎ  Ａｃｃｅｓｓ  Ｓｔｒａｔｕｍ  Ｎｏｄｅ  Ｓｅｌｅｃｔｉｏｎ  Ｆｕｎｃｔｉｏｎ）および負荷分割原則に従ってＵＥのために適正なＣＮ（Ｃｏｒｅ  Ｎｅｔｗｏｒｋ）ノードを選択することが記載されている。さらに、特許文献１には、ＵＥから受信した初期直接転送メッセージに含まれるＴＭＳＩ（Ｔｅｍｐｏｒａｒｙ  Ｍｏｂｉｌｅ  Ｓｔａｔｉｏｎ  Ｉｄｅｎｔｉｆｉｅｒ）内のＮＲＩ（Ｎｅｔｗｏｒｋ  Ｒｅｓｏｕｒｃｅ  Ｉｄｅｎｔｉｆｉｅｒ）を用いて、ＲＡＮノードは、ＵＥが元来登録されているＣＮ（Ｃｏｒｅ  Ｎｅｔｗｏｒｋ）ノードを探し出し、選択することが記載されている。即ち、特許文献１のＵＥがプール内を移動する限りにおいては、ＣＮノードが変わることは無い。
【０００４】
また、特許文献２には、ＵＥからのトラッキングエリア更新要求（ＴＡＵ要求）を、ロケーションエリア更新要求（ＬＡＵ要求）に変換するＭＭＥにおいて、ＭＳＣからＮＲＩを含むロケーションエリア更新応答（ＬＡＵ応答）を受信し、ＵＥに対し、トラッキングエリア更新応答（ＴＡＵ応答）に変換するＭＭＥが開示されている。
【先行技術文献】
【特許文献】
【０００５】
【特許文献１】特表２０１０−５３７５２３号公報
【特許文献２】特表２０１１−５０８４９６号公報
【非特許文献】
【０００６】
【非特許文献１】3GPP TS 23.272 ver.10.4.0 “Circuit Switched (CS) fallback in Evolved Packet System (EPS);Stage 2 (Release 10)”、[平成23年6月20日検索]、インターネット< http://www.3gpp.org/ftp/Specs/html-info/23272.htm>
【非特許文献２】3GPP TS 23.236 ver.10.2.1 “Intra-domain connection of Radio Access Network (RAN) nodes to multiple Core Network (CN) nodes (Release 10)”、[平成23年6月20日検索]、インターネット< http://www.3gpp.org/ftp/Specs/html-info/23236.htm>
【発明の概要】
【発明が解決しようとする課題】
【０００７】
以下の分析は、本発明によって与えられたものである。非特許文献２記載のＩＭＳＩ  Ｈａｓｈ方式は、ＵＥが移動前のパケット交換局（以下、「旧パケット交換局」と記す。）から、別のパケット交換局（以下、「新パケット交換局」と記す。）へＵＥが移動した時に、新パケット交換局が、位置登録を実施する位置登録装置（ＭＳＣ／ＶＬＲ）を選択する場合にも用いられる。
【０００８】
このとき、ＵＥの移動先の位置登録エリア（Ｌｏｃａｔｉｏｎ  Ａｒｅａ）が同一の位置登録装置プール（ＭＳＣ／ＶＬＲプール）の範囲内であれば、ＩＭＳＩ  Ｈａｓｈを用いたとしても、新パケット交換局は、旧パケット交換局が選択した位置登録済み位置登録装置（ＭＳＣ／ＶＬＲ）と同じ位置登録装置（ＭＳＣ／ＶＬＲ）を選択することができる。このように、位置登録装置（ＭＳＣ／ＶＬＲ）の移動を伴わずに位置登録を実施することで、ネットワークの負荷軽減を行うことができる。
【０００９】
特に、ＳＭＳ（Ｓｈｏｒｔ  Ｍｅｓｓａｇｅ  Ｓｅｒｖｉｃｅ）の配信を目的にパケット交換局が位置登録装置（ＭＳＣ／ＶＬＲ）と連携する場合は、位置登録装置（ＭＳＣ／ＶＬＲ）が比較的大きな位置登録装置プール（ＭＳＣ／ＶＬＲプール）を構成するため、上記のネットワークの負荷軽減は更に大きな効果を奏する。
【００１０】
しかしながら、選択すべき位置登録装置（ＭＳＣ／ＶＬＲ）と旧パケット交換局間の経路に障害が生じている場合、旧パケット交換局は、図１２に示すように、別の位置登録装置（ＭＳＣ／ＶＬＲ）を選択することがある（図１２のＳ９０２〜Ｓ９０４参照）。その後、ＵＥが新パケット交換局へ移動して位置登録要求を行うと、新パケット交換局は、ＩＭＳＩ  Ｈａｓｈ方式を用いて位置登録装置（ＭＳＣ／ＶＬＲ）を選択する（図１２のＳ９１１〜Ｓ９１２参照）。このとき、ＩＭＳＩ  Ｈａｓｈ方式は、上述のとおりＩＭＳＩとＭＳＣ／ＶＬＲ数の２つをキーに、モジュロ演算によりハッシュを求めるものであるため、新パケット交換局は、図１２のＳ９０２と同じ位置登録装置（ＭＳＣ／ＶＬＲ）を選択してしまう（図１２のＳ９１１〜Ｓ９１２参照）。この結果、位置登録済みではない位置登録装置（ＭＳＣ／ＶＬＲ）が選択されるため、不要な信号メッセージがネットワーク内で送受信されることになる。
【００１１】
更に、図１３に示すように、位置登録装置プール（ＭＳＣ／ＶＬＲプール）に属するＭＳＣ／ＶＬＲの数が増減した際には、ＩＭＳＩ  Ｈａｓｈにより選択される位置登録装置（ＭＳＣ／ＶＬＲ）が変わってしまうため、すでに位置登録済みのほとんどのＵＥで、位置登録装置（ＭＳＣ／ＶＬＲ）の再選択が実施されることになり、ネットワーク全体の輻輳につながってしまう。
【００１２】
なお、特許文献１、２には、上記のように位置登録装置プールを構成する位置登録装置の選択はもちろんとして、移動局が移動した後において、位置登録済みの位置登録装置を選択させる構成は開示されていない。
【００１３】
本発明は、上記した事情に鑑みてなされたものであって、その目的とするところは、上記位置登録装置（ＭＳＣ／ＶＬＲ）のような回線交換ネットワーク側の位置登録装置の選択変更、設置数の増減等に起因する、不要な信号メッセージの授受やネットワークの輻輳を抑制できるようにした移動体通信システム、移動局、交換局および移動局の位置登録方法を提供することにある。
【課題を解決するための手段】
【００１４】
本発明の第１の視点によれば、移動局と、ＭＭＥ（Ｍｏｂｉｌｉｔｙ  Ｍａｎａｇｅｍｅｎｔ  Ｅｎｔｉｔｙ）と、前記移動局の位置管理が可能な複数の位置登録装置とを含む移動体通信システムであって、前記ＭＭＥは、前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択する移動体通信システムが提供される。
【００１５】
本発明の第２の視点によれば、ＭＭＥ（Ｍｏｂｉｌｉｔｙ  Ｍａｎａｇｅｍｅｎｔ  Ｅｎｔｉｔｙ）と、移動局の位置管理が可能な複数の位置登録装置とを含む移動体通信システムに用いられる移動局であって、前記移動局は、前記ＭＭＥにＮＲＩ（Ｎｅｔｗｏｒｋ  Ｒｅｓｏｕｒｃｅ  Ｉｄｅｎｔｉｆｉｅｒ）を含むＡｔｔａｃｈ  Ｒｅｑｕｅｓｔを送る送信手段を備えており、前記移動局から提供された前記ＮＲＩに基づいて前記複数の位置登録装置の中から特定の位置登録装置を前記ＭＭＥに選択させる移動局が提供される。
【００１６】
本発明の第３の視点によれば、移動局と、該移動局の位置管理が可能な複数の位置登録装置とを含む移動体通信システムに用いられるＭＭＥ（Ｍｏｂｉｌｉｔｙ  Ｍａｎａｇｅｍｅｎｔ  Ｅｎｔｉｔｙ）であって、前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択する選択手段を有するＭＭＥが提供される。
【００１７】
本発明の第４の視点によれば、移動局と、ＭＭＥ（Ｍｏｂｉｌｉｔｙ  Ｍａｎａｇｅｍｅｎｔ  Ｅｎｔｉｔｙ）と、前記移動局の位置管理が可能な複数の位置登録装置とを含む移動体通信システムの通信方法であって、前記ＭＭＥは、前記移動局からＡｔｔａｃｈ  Ｒｅｑｕｅｓｔを受けて、該Ａｔｔａｃｈ  Ｒｅｑｕｅｓｔ内のＴＭＳＩ（Ｔｅｍｐｏｒａｒｙ  Ｍｏｂｉｌｅ  Ｓｔａｔｉｏｎ  Ｉｄｅｎｔｉｆｉｅｒ）ベースのＮＲＩ（Ｎｅｔｗｏｒｋ  Ｒｅｓｏｕｒｃｅ  Ｉｄｅｎｔｉｆｉｅｒ）に基づいて、前記複数の位置登録装置の中から特定の位置登録装置を選択する移動体通信システムの通信方法が提供される。
【発明の効果】
【００１８】
本発明によれば、回線交換ネットワーク側の位置登録装置の選択変更、設置数の増減等に起因する、不要な信号メッセージの授受やネットワークの輻輳を抑制することが可能になる。
【図面の簡単な説明】
【００１９】
【図１】本発明の一実施形態の構成を説明するための図である。
【図２】図１の続図である。
【図３】本発明の第１の実施形態の構成を説明するための図である。
【図４】本発明の第１の実施形態の動作を説明するためのシーケンス図である。
【図５】本発明の第２の実施形態の構成を説明するための図である。
【図６】本発明の第２の実施形態の動作を説明するためのシーケンス図である。
【図７】本発明の第３の実施形態の構成を説明するための図である。
【図８】本発明の第３の実施形態の動作を説明するためのシーケンス図である。
【図９】本発明の第４の実施形態の構成を説明するための図である。
【図１０】本発明の第４の実施形態の動作を説明するためのシーケンス図である。
【図１１】本発明の第５の実施形態の動作を説明するためのシーケンス図である。
【図１２】非特許文献１、２の方式による位置登録処理の流れを説明するための図である。
【図１３】非特許文献１、２の方式による位置登録処理の別の流れを説明するための図である。
【発明を実施するための形態】
【００２０】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。
【００２１】
本発明は、図１に示すように、回線交換ネットワーク側で移動局の位置管理を行う複数の位置登録装置３１〜３ｎと、ＵＥ（移動局）１０から位置登録要求を受けた際に、所定の規則に従って、前記複数の位置登録装置３１〜３ｎの中から、一の位置登録装置を選択して、位置登録を要求する第１交換局（第１のパケット交換局）２１と、ＵＥ（移動局）１０と、前記移動局の移動先に位置する第２交換局（第２のパケット交換局）２２と、を含む構成にて実現できる。
【００２２】
具体的には、前記ＵＥ（移動局）１０は、第１交換局（第１のパケット交換局）２１から、前記第１交換局（第１のパケット交換局）２１が選択した位置登録装置を特定するための情報Ｓ１を含んだ位置登録応答を受信する。そして図２に示すように、第１交換局（第１のパケット交換局）２１のサービスエリアから第２交換局（第２のパケット交換局）２２のサービスエリアへ移動した際に、前記ＵＥ（移動局）１０は、第２交換局（第２のパケット交換局）２２に対して、前記第１交換局（第１のパケット交換局）２１が選択した位置登録装置を特定するための情報Ｓ２を含む位置登録要求を送信する。前記第２交換局（第２のパケット交換局）２２は、前記位置登録要求に含まれる情報Ｓ１に基づいて、前記第１のパケット交換局が前記移動局のために位置登録を行った位置登録装置３１に対して位置登録を要求する。
【００２３】
以上のように、本発明によれば、第２交換局（第２のパケット交換局）２２においても、第１交換局（第１のパケット交換局）２１が実際に位置登録を行った位置登録装置の選択が行われる。従って、移動局の回線交換ネットワーク側の位置登録装置の選択変更、設置数の増減等に起因する、不要な信号メッセージの授受やネットワークの輻輳を抑制することが可能になる。なお、前記位置登録要求に含まれる情報Ｓ２が、ＵＥ（移動局）１０が位置登録装置３１〜３ｎとは別の位置登録装置（当該プールに属さない位置登録装置）に登録していたことを示す場合には、第２交換局（第２のパケット交換局）２２は、第１交換局（第１のパケット交換局）２１と同様に、所定の規則に従って、前記複数の位置登録装置３１〜３ｎの中から、一の位置登録装置を選択して、位置登録を要求することになる。
【００２４】
［第１の実施形態］
続いて、位置登録装置を特定するための情報として、ＮＲＩ（Ｎｅｔｗｏｒｋ  Ｒｅｓｏｕｃｅ  Ｉｎｄｉｃａｔｏｒ；ネットワークリソース識別子）を用いる本発明の第１〜第４の実施形態について図面を参照して詳細に説明する。図３は、本発明の第１の実施形態の構成を模式的に表した図である。
【００２５】
図３を参照すると、回線交換ネットワーク側でＵＥ（移動局）１０の位置管理を行うためのＭＳＣ／ＶＬＲプールを構成する複数のＭＳＣ／ＶＬＲ３０１〜３０ｎと、回線交換ネットワーク側に配置されＵＥ１０の移動管理や認証処理等を行うＳＧＳＮ２０１、２０２と、を含むネットワーク構成が示されている。なお、図３の例では、特許文献１に記載されているような各種のＲＡＮノードや、各種のゲートウェイ等は省略されている。なお、ＭＳＣ／ＶＬＲプールとは、複数のＭＳＣ／ＶＬＲが同一の位置登録エリア（Ｌｏｃａｔｉｏｎ  Ａｒｅａ；ＬＡ）に対して、サービスを提供するよう構成されたものをいう。
【００２６】
ＳＧＳＮ２０１（２０２）は、ＵＥ１０から位置登録要求を受けると、非特許文献２のＩＭＳＩ  Ｈａｓｈ方式等の所定の規則に従って、ＭＳＣ／ＶＬＲ３０１〜３０ｎから、ＵＥ１０のために位置登録を行うＭＳＣ／ＶＬＲを選択し、位置登録を要求する。前記選択したＭＳＣ／ＶＬＲは、ＵＥ１０に対し、ＳＧＳＮ２０１（２０２）を介して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）を含んだ位置登録応答を送信する。
【００２７】
ここで、前記ＴＭＳＩには、ＭＳＣ／ＶＬＲプール内で、ＭＳＣ／ＶＬＲを一意に特定できる情報要素であるＮＲＩが含まれている。
【００２８】
ＵＥ１０は、位置登録要求時に、このＮＲＩを、新ＳＧＳＮ２０２（２０１）へ提供することによって、ＳＧＳＮ２０２（２０１）に、位置登録済みのＭＳＣ／ＶＬＲを選択させる。このとき、前記ＮＲＩによって示されるＭＳＣ／ＶＬＲが、同一のＭＳＣ／ＶＬＲプール内のＭＳＣ／ＶＬＲである場合、ＳＧＳＮ２０２（２０１）は、移動前にＵＥ１０が位置登録していたＭＳＣ／ＶＬＲに対し位置登録を要求することになる。
【００２９】
続いて、本実施形態の動作について図面を参照して詳細に説明する。図４は、本発明の第１の実施形態の動作を説明するためのシーケンス図である。なお、以下の説明では、ＳＧＳＮ２０１を「旧ＳＧＳＮ」と呼び、ＳＧＳＮ２０２を「新ＳＧＳＮ」と呼ぶ。
【００３０】
図４を参照すると、まず、ＵＥ１０は、旧ＳＧＳＮに対し、位置登録要求（Ａｔｔａｃｈ  Ｒｅｑｕｅｓｔ、Ｒｏｕｔｉｎｇ  Ａｒｅａ  Ｕｐｄａｔｅ  Ｒｅｑｕｅｓｔ等）を送信する（図４のＳ００１）。前記位置登録要求を受けた旧ＳＧＳＮは、非特許文献２のＩＭＳＩ  Ｈａｓｈ方式等を用いてＭＳＣ／ＶＬＲを選択し、位置登録要求（Ｌｏｃａｔｉｏｎ  Ｒｅｑｕｅｓｔ）を送信する（図４のＳ００２）。
【００３１】
前記位置登録要求（Ｌｏｃａｔｉｏｎ  Ｒｅｑｕｅｓｔ）を受けたＭＳＣ／ＶＬＲは、ＵＥ１０の位置登録を実行し、さらに、自装置に対応するＮＲＩを含むＴＭＳＩを割り当てる（図４のＳ００３）。さらに、ＭＳＣ／ＶＬＲは、旧ＳＧＳＮに対して、位置登録応答（Ｌｏｃａｔｉｏｎ  Ｒｅｓｐｏｎｓｅ）を送信する（図４のＳ００４）。
【００３２】
旧ＳＧＳＮは、位置登録応答（Ｌｏｃａｔｉｏｎ  Ｒｅｓｐｏｎｓｅ）に含まれている前記ＴＭＳＩまたはＶＬＲ  ＮａｍｅまたはＶＬＲ  Ｎｕｍｂｅｒを保持する（図４のＳ００４−１）。その後、旧ＳＧＳＮは、ＵＥ１０に対し、前記ＴＭＳＩを含んだ位置登録応答（Ａｔｔａｃｈ  Ａｃｃｅｐｔ、Ｒｏｕｔｉｎｇ  Ａｒｅａ  Ｕｐｄａｔｅ  Ａｃｃｅｐｔ等）を送信する（図４のＳ００５）。
【００３３】
その後、ＵＥ１０が、新ＳＧＳＮ配下に移動した場合、ＵＥ１０は新ＳＧＳＮに対しＴＭＳＩを含めた位置登録要求（Ａｔｔａｃｈ  Ｒｅｑｕｅｓｔ、Ｒｏｕｔｉｎｇ  Ａｒｅａ  Ｕｐｄａｔｅ  Ｒｅｑｕｅｓｔ等）を送信する（図４のＳ０１１）。
【００３４】
前記位置登録要求を受けた新ＳＧＳＮは、前記位置登録要求に含まれるＴＭＳＩからＮＲＩを抜き出す。新ＳＧＳＮは、さらに、ＮＲＩに対応するＭＳＣ／ＶＬＲに対し、位置登録要求を送信（Ｌｏｃａｔｉｏｎ  Ｒｅｑｕｅｓｔ）する（図４のＳ０１２）。
【００３５】
前記位置登録要求を受けたＭＳＣ／ＶＬＲは、ＵＥ１０を位置登録済みのため、位置登録エリアの更新だけを行い、位置登録応答（Ｌｏｃａｔｉｏｎ  Ｒｅｓｐｏｎｓｅ）を返信する（図４のＳ０１５）。
【００３６】
新ＳＧＳＮは、位置登録応答（Ｌｏｃａｔｉｏｎ  Ｒｅｓｐｏｎｓｅ）に含まれている前記ＴＭＳＩまたはＶＬＲ  ＮａｍｅまたはＶＬＲ  Ｎｕｍｂｅｒを保持する（図４のＳ０１５−１）。新ＳＧＳＮは、前記ＭＳＣ／ＶＬＲから受け取った位置登録応答（Ｌｏｃａｔｉｏｎ  Ｒｅｓｐｏｎｓｅ）に基づいて、ＵＥ１０に対し、位置登録応答（Ａｔｔａｃｈ  Ａｃｃｅｐｔ、Ｒｏｕｔｉｎｇ  Ａｒｅａ  Ｕｐｄａｔｅ  Ａｃｃｅｐｔ等）を返信する（図４のＳ０１６）。
【００３７】
以上のように、本実施形態によれば、旧ＳＧＳＮ２０１が実際に位置登録を行った位置登録装置の選択が行われる。このため、例えば、旧ＳＧＳＮ２０１と、旧ＳＧＳＮ２０１が最初に選択したＭＳＣ／ＶＬＲとの間の経路に障害が生じたり、ＭＳＣ／ＶＬＲの数に変動が生じたとしても影響を受けることなく、同一のＭＳＣ／ＶＬＲにＵＥ１０の位置登録を行うことが可能となる。この結果、不要なメッセージがネットワークを流れることがなくなり、ネットワークの負荷軽減が実現される。
【００３８】
［第２の実施形態］
続いて、上記した第１の実施形態の新ＳＧＳＮ（ＳＧＳＮ２０２）をＭＭＥに置き換えた本発明の第２の実施形態について説明する。図５は、本発明の第２の実施形態の構成を模式的に表した図である。図３に示した第１の実施形態との相違点は、ＳＧＳＮ２０２がＭＭＥ２１２に置き換わっている点である。
【００３９】
ＭＭＥ２１２は、パケット交換ネットワーク側に配置された交換局であり、上記したＳＧＳＮと同様にＵＥ１０の移動管理や認証処理等を行う。
【００４０】
続いて、本実施形態の動作について図面を参照して詳細に説明する。図６は、本発明の第２の実施形態の動作を説明するためのシーケンス図である。なお、以下の説明では、ＳＧＳＮ２０１を「旧ＳＧＳＮ」と呼び、ＭＭＥ２１２を「新ＭＭＥ」と呼ぶ。
【００４１】
本実施形態の動作は、第１の実施形態の新ＳＧＳＮが新ＭＭＥに置き換わったのみの相違であり、具体的には、図６のＳ０１１Ａにおいて、ＵＥ１０が新ＭＭＥに対し位置登録要求（Ａｔｔａｃｈ  Ｒｅｑｕｅｓｔ、Ｔｒａｃｋｉｎｇ  Ａｒｅａ  Ｕｐｄａｔｅ  Ｒｅｑｕｅｓｔ等）を送信し、図６のＳ０１６Ａにおいて、新ＭＭＥがＵＥ１０に対し、位置登録応答（Ａｔｔａｃｈ  Ａｃｃｅｐｔ、Ｔｒａｃｋｉｎｇ  Ａｒｅａ  Ｕｐｄａｔｅ  Ａｃｃｅｐｔ等）を送信する点である。その他基本的な動作は第１の実施形態と同様であるので説明は省略する。
【００４２】
以上のように、本発明はＵＥ１０が旧ＳＧＳＮの配下からＭＭＥの配下に移動した場合にも適用することが可能であり、新ＭＭＥに、旧ＳＧＳＮが実際に位置登録を行った位置登録装置への位置登録要求を行わせることが可能である。
【００４３】
［第３の実施形態］
続いて、上記した第１の実施形態の旧ＳＧＳＮ（ＳＧＳＮ２０１）をＭＭＥに置き換えた本発明の第３の実施形態について説明する。図７は、本発明の第３の実施形態の構成を模式的に表した図である。図３に示した第１の実施形態との相違点は、ＳＧＳＮ２０１がＭＭＥ２１１に置き換わっている点である。
【００４４】
ＭＭＥ２１１は、パケット交換ネットワーク側に配置された交換局であり、上記したＳＧＳＮと同様にＵＥ１０の移動管理や認証処理等を行う。
【００４５】
続いて、本実施形態の動作について図面を参照して詳細に説明する。図８は、本発明の第３の実施形態の動作を説明するためのシーケンス図である。なお、以下の説明では、ＭＭＥ２１１を「旧ＭＭＥ」と呼び、ＳＧＳＮ２０２を「新ＳＧＳＮ」と呼ぶ。
【００４６】
本実施形態の動作は、第１の実施形態の旧ＳＧＳＮが旧ＭＭＥに置き換わったのみの相違であり、具体的には、図８のＳ００１Ａにおいて、ＵＥ１０が旧ＭＭＥに対し位置登録要求（Ａｔｔａｃｈ  Ｒｅｑｕｅｓｔ、Ｔｒａｃｋｉｎｇ  Ａｒｅａ  Ｕｐｄａｔｅ  Ｒｅｑｕｅｓｔ等）を送信し、図８のＳ００５Ａにおいて、旧ＭＭＥがＵＥ１０に対し、位置登録応答（Ａｔｔａｃｈ  Ａｃｃｅｐｔ、Ｔｒａｃｋｉｎｇ  Ａｒｅａ  Ｕｐｄａｔｅ  Ａｃｃｅｐｔ等）を送信する点である。その他基本的な動作は第１の実施形態と同様であるので説明は省略する。
【００４７】
以上のように、本発明はＵＥ１０が旧ＭＭＥの配下にある状態からＳＧＳＮの配下に移動した場合にも適用することが可能であり、新ＳＧＳＮに、旧ＭＭＥが実際に位置登録を行った位置登録装置への位置登録要求を行わせることが可能である。
【００４８】
［第４の実施形態］
続いて、上記した第１の実施形態の旧ＳＧＳＮ（ＳＧＳＮ２０１）および新ＳＧＳＮ（ＳＧＳＮ２０２）をＭＭＥに置き換えた本発明の第４の実施形態について説明する。図９は、本発明の第４の実施形態の構成を模式的に表した図である。図３に示した第１の実施形態との相違点は、ＳＧＳＮ２０１、２０２がそれぞれＭＭＥ２１１、２１２に置き換わっている点である。
【００４９】
ＭＭＥ２１１、２１２は、パケット交換ネットワーク側に配置された交換局であり、上記したＳＧＳＮと同様にＵＥ１０の移動管理や認証処理等を行う。
【００５０】
続いて、本実施形態の動作について図面を参照して詳細に説明する。図１０は、本発明の第４の実施形態の動作を説明するためのシーケンス図である。なお、以下の説明では、ＭＭＥ２１１を「旧ＭＭＥ」と呼び、ＭＭＥ２１２を「新ＭＭＥ」と呼ぶ。
【００５１】
本実施形態の動作は、第１の実施形態の旧ＳＧＳＮおよび新ＳＧＳＮがそれぞれ旧ＭＭＥおよび新ＭＭＥに置き換わったのみの相違であり、具体的には、図１０のＳ００１Ａ、Ｓ０１１Ａにおいて、ＵＥ１０が新旧のＭＭＥに対し位置登録要求（Ａｔｔａｃｈ  Ｒｅｑｕｅｓｔ、Ｔｒａｃｋｉｎｇ  Ａｒｅａ  Ｕｐｄａｔｅ  Ｒｅｑｕｅｓｔ等）を送信し、図１０のＳ００５Ａ、Ｓ０１６Ａにおいて、新旧のＭＭＥがＵＥ１０に対し、位置登録応答（Ａｔｔａｃｈ  Ａｃｃｅｐｔ、Ｔｒａｃｋｉｎｇ  Ａｒｅａ  Ｕｐｄａｔｅ  Ａｃｃｅｐｔ等）を送信する点である。その他基本的な動作は第１の実施形態と同様であるので説明は省略する。
【００５２】
以上のように、本発明はＵＥ１０が旧ＭＭＥの配下にある状態からＭＭＥの配下に移動した場合にも適用することが可能であり、新ＭＭＥに、旧ＭＭＥが実際に位置登録を行った位置登録装置への位置登録要求を行わせることが可能である。
【００５３】
［第５の実施形態］
上記した第１〜第４の実施形態では、ＵＥ１０経由で、新交換局に位置登録済みＭＳＣ／ＶＬＲを特定する情報が伝達されるものとしたが、旧交換局が、新交換局に直接位置登録済みＭＳＣ／ＶＬＲを特定する情報を伝達する構成も採用可能である。
【００５４】
以下、ＵＥ１０からのＮＲＩを用いずに、当該ＵＥ１０について位置登録済みのＭＳＣ／ＶＬＲを選択できるようにした本発明の第５の実施形態について説明する。本発明は、上記した第１〜第４の実施形態と同様の構成にて実現できるので、以下の説明では、その動作上の相違点を中心に説明する。また、以下の説明では、図９に示した旧ＭＭＥと新ＭＭＥとを有する構成であるものとして説明する。
【００５５】
図１１は、本発明の第５の実施形態の動作を説明するためのシーケンス図である。なお、以下の説明では、ＭＭＥ２１１を「旧ＭＭＥ」と呼び、ＭＭＥ２１２を「新ＭＭＥ」と呼ぶ。
【００５６】
図１１を参照すると、まず、ＵＥ１０は、旧ＭＭＥに対し、位置登録要求（Ａｔｔａｃｈ  Ｒｅｑｕｅｓｔ、Ｔｒａｃｋｉｎｇ  Ａｒｅａ  Ｕｐｄａｔｅ  Ｒｅｑｕｅｓｔ等）を送信する（図１１のＳ２０１）。前記位置登録要求を受けた旧ＭＭＥは、非特許文献２のＩＭＳＩ  Ｈａｓｈ方式等を用いてＭＳＣ／ＶＬＲを選択し、位置登録要求（Ｌｏｃａｔｉｏｎ  Ｒｅｑｕｅｓｔ）を送信する（図１１のＳ２０２）。
【００５７】
前記位置登録要求（Ｌｏｃａｔｉｏｎ  Ｒｅｑｕｅｓｔ）を受けたＭＳＣ／ＶＬＲは、ＵＥ１０の位置登録を実行し、位置登録応答（Ｌｏｃａｔｉｏｎ  Ｒｅｓｐｏｎｓｅ）を送信する（図１１のＳ２０４）。旧ＭＭＥは、ＵＥ１０に対し、位置登録応答（Ａｔｔａｃｈ  Ａｃｃｅｐｔ、Ｔｒａｃｋｉｎｇ  Ａｒｅａ  Ｕｐｄａｔｅ  Ａｃｃｅｐｔ等）を送信する（図１１のＳ２０５）。なお、ここでの位置登録応答には、ＮＲＩが含まれていなくともよい。また、旧ＭＭＥは、位置登録応答の送信元のＶＬＲ  ＮａｍｅまたはＶＬＲ  Ｎｕｍｂｅｒを保持する（図１１のＳ２０４−１）。
【００５８】
その後、ＵＥ１０が、新ＭＭＥの配下に移動した場合、ＵＥ１０は新ＭＭＥに対し位置登録要求（Ａｔｔａｃｈ  Ｒｅｑｕｅｓｔ、Ｔｒａｃｋｉｎｇ  Ａｒｅａ  Ｕｐｄａｔｅ  Ｒｅｑｕｅｓｔ等）を送信する（図１１のＳ２１１）。
【００５９】
前記位置登録要求を受けた新ＭＭＥは、旧ＭＭＥに対し、ＵＥ１０のＣｏｎｔｅｘｔの転送を要求（Ｉｄｅｎｔｉｆｉｃａｔｉｏｎ  Ｒｅｑｕｅｓｔ、Ｃｏｎｔｅｘｔ  Ｒｅｑｕｅｓｔ）する（図１１のＳ２１２）。本実施形態の場合、図１１のＳ２１１で送信される位置登録要求にＴＭＳＩは含まれないが、ＵＥ１０を特定する情報が含まれている。新ＭＭＥは、ＵＥ１０を特定する情報を、位置登録済みＭＳＣ／ＶＬＲを特定する情報として用いることになる。
【００６０】
前記Ｃｏｎｔｅｘｔの転送要求を受けた旧ＭＭＥは、保持しているＴＭＳＩ、ＶＬＲ  ＮａｍｅまたはＶＬＲ  Ｎｕｍｂｅｒを含んだＣｏｎｔｅｘｔの転送応答（Ｃｏｎｔｅｘｔ  Ｒｅｓｐｏｎｓｅ）を送信する（図１１のＳ２１３）。
【００６１】
前記Ｃｏｎｔｅｘｔの転送応答（Ｃｏｎｔｅｘｔ  Ｒｅｓｐｏｎｓｅ）を受信した新ＭＭＥは、前記Ｃｏｎｔｅｘｔの転送応答（Ｃｏｎｔｅｘｔ  Ｒｅｓｐｏｎｓｅ）に含まれるＴＭＳＩ、ＶＬＲ  ＮａｍｅまたはＶＬＲ  Ｎｕｍｂｅｒによって特定されるＭＳＣ／ＶＬＲに対し、位置登録要求を送信（Ｌｏｃａｔｉｏｎ  Ｒｅｑｕｅｓｔ）する（図１１のＳ２１４）。
【００６２】
ＭＳＣ／ＶＬＲは、ＵＥ１０を位置登録済みのため、位置登録エリアの更新だけを行い、位置登録応答（Ｌｏｃａｔｉｏｎ  Ｒｅｓｐｏｎｓｅ）を返信する（図１１のＳ２１５）。
【００６３】
また、新ＭＭＥは、前記ＭＳＣ／ＶＬＲから受け取った位置登録応答（Ｌｏｃａｔｉｏｎ  Ｒｅｓｐｏｎｓｅ）の送信元のＶＬＲ  ＮａｍｅまたはＶＬＲ  Ｎｕｍｂｅｒを保持する（図１１のＳ２１５−１）。さらに、新ＭＭＥは、前記ＭＳＣ／ＶＬＲから受け取った位置登録応答（Ｌｏｃａｔｉｏｎ  Ｒｅｓｐｏｎｓｅ）に基づいて、ＵＥ１０に対し、位置登録応答（Ａｔｔａｃｈ  Ａｃｃｅｐｔ、Ｔｒａｃｋｉｎｇ  Ａｒｅａ  Ｕｐｄａｔｅ  Ａｃｃｅｐｔ等）を返信する（図１１のＳ２１６）。
【００６４】
以上のように、本実施形態によれば、ＵＥ１０を介さずに、旧ＭＭＥ２１１が実際に位置登録を行った位置登録装置への位置登録が行われる。本実施形態においても、例えば、旧ＭＭＥ２１１と、旧ＭＭＥ２１１が最初に選択したＭＳＣ／ＶＬＲとの間の経路に障害が生じたり、ＭＳＣ／ＶＬＲの数に変動が生じたとしても影響を受けることなく、同一のＭＳＣ／ＶＬＲにＵＥ１０の位置登録を行うことが可能となる。
【００６５】
以上、本発明の各実施形態を説明したが、本発明は、上記した実施形態に限定されるものではなく、本発明の基本的技術的思想を逸脱しない範囲で、更なる変形・置換・調整を加えることができる。例えば、上記した第１から第４の実施形態では、位置登録済みＭＳＣ／ＶＬＲを特定する情報として、ＮＲＩを用いるものとして説明したが、上記第５の実施形態で説明したＶＬＲ  ＮａｍｅまたはＶＬＲ  Ｎｕｍｂｅｒ等を用いることもできる。
【００６６】
同様に、上記した第５の実施形態において、位置登録済みＭＳＣ／ＶＬＲを特定する情報として、ＮＲＩを用いることもできる。
【００６７】
また、上記の特許文献、非特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００６８】
１０  ＵＥ（移動局）
２１  第１交換局
２２  第２交換局
３１〜３ｎ  位置登録装置
２０１、２０２  ＳＧＳＮ
２１１、２１２  ＭＭＥ  
３０１〜３０ｎ  ＭＳＣ／ＶＬＲ
【図１】
0005333691.tif 000002
【図２】
0005333691.tif 000003
【図３】
0005333691.tif 000004
【図４】
0005333691.tif 000005
【図５】
0005333691.tif 000006
【図６】
0005333691.tif 000007
【図７】
0005333691.tif 000008
【図８】
0005333691.tif 000009
【図９】
0005333691.tif 000010
【図１０】
0005333691.tif 000011
【図１１】
0005333691.tif 000012
【図１２】
0005333691.tif 000013
【図１３】
0005333691.tif 000014